(57)【特許請求の範囲】
【請求項１】
選択された波長範囲をカバーする光を放射するための光源と、前記放射された光を増幅するための希土類がドープされたファイバ増幅器と、一連の光パルスを生成するために前記放射された光を変調するための変調器とを有する入力生成器と；
入力として前記一連の光パルスを受け、かつ光の経路に沿って位置付けられるセンサ回折格子のアレイを経て前記光パルスを伝送するために前記入力生成器に結合されるセンサ段であって、前記センサアレイを経るパルスの伝播が時間領域多重化された出力をもたらし、前記時間領域多重化された出力がそれぞれの出力パルスが前記センサアレイのそれぞれの回折格子における前記入力パルスの反射からなる一連の出力パルスからなり、前記センサアレイへの入力、および前記センサアレイから出る前記時間領域多重化された出力の両方を増幅するためのラマン増幅手段を有するセンサ段と；
前記センサアレイからの出力を検知し、かつ前記センサアレイのそれぞれの回折格子の波長出力を再構成するための出力処理段と； 
前記システム段を動作させるための制御モジュールと
を有し、
前記センサアレイが、２つ以上の群に属する回折格子を有し、前記センサアレイの出力が時間および波長領域の両方において多重化されるようにそれぞれの群がそれぞれのブラッグ波長により特徴づけられ、
同一の波長を有する少なくともいくつかの回折格子の間の間隔が隣接する検知点の間の必要とされる間隔を上回ることができるように、異なる群の個々の回折格子が重なり合う構成に配列される、
光ファイバセンサシステム。
【請求項２】
前記センサ段がさらに、前記センサアレイのそれぞれの回折格子の出力を再構成するときの基準時間として前記制御モジュールによる使用のための時間基準信号を提供するように構成される前記センサアレイの上流に接続される時間基準回折格子を有する、請求項１に記載の光ファイバシステム。
【請求項３】
前記センサ段が、前記センサアレイの出力を較正するために前記時間基準回折格子と前記センサアレイとの間に接続される波長基準デバイスを有する、請求項２に記載の光ファイバシステム。
【請求項４】
前記波長基準デバイスが、異なる波長を有する複数の温度安定化された回折格子を有し、前記センサ回折格子の波長範囲をカバーする、請求項３に記載の光ファイバシステム。
【請求項５】
前記出力処理段が、前記センサ段からの前記出力の波長成分を広げて離すための波長拡張手段と、波長拡張後の前記出力をデジタル化するための検知器とを有する、請求項１に記載の光ファイバシステム。
【請求項６】
前記出力処理段が、前記センサ出力のために波長データを正確に導き出すための較正されたスキャン台をさらに含む、請求項５に記載の光ファイバシステム。
【請求項７】
前記光源が調整可能なレーザからなり、前記出力処理段が、前記調整可能なレーザの瞬間的な波長に関連する前記センサ出力からの波長データを導き出すように構成される、請求項１に記載の光ファイバシステム。
【請求項８】
前記光源が、波長可変レーザからなり、前記入力生成段が、前記センサアレイ出力からの波長データを導き出す出力処理段による使用のために前記波長可変レーザの前記瞬間的な波長を測定するための波長測定モジュールを有する、請求項１に記載の光ファイバシステム。
【発明の詳細な説明】
【技術分野】
【０００１】
関連出願への相互参照
本出願は、本出願の譲受人によって保有される以下の米国仮特許出願の優先権の利益を主張し、そのすべてが参照によって本明細書に組み込まれる。
２０１２年３月２日に出願された、米国仮特許出願第．６１／６０５，９０２号
【０００２】
本発明は、一般に光ファイバの分野に関し、具体的にはＦＢＧセンサアレイシステムに基づく改良された時間領域多重方式（Time Domain Multiplexing、ＴＤＭ）、および波長分割多重方式（Wavelength Division Multiplexing、ＷＤＭ）に関する。
【背景技術】
【０００３】
典型的な光ファイバセンサは、それぞれの検知点に配され、それぞれが温度および／または歪の変化に応じて変化するそれぞれの光出力を生じるように、検知要素のアレイを有することができる。光ファイバセンサの一般的なタイプのひとつは、検知要素としてファイバブラッグ回折格子（ＦＢＧ）を用いる。ＦＢＧは、温度および／または歪の変化に応じてシフトする既知の波長（すなわち、“ブラッグ波長”）で光を反射するファイバ内光デバイスである。ＦＢＧセンサシステムにおいては、広帯域入力レーザビームがＦＢＧアレイに結合される。次いで、センサアレイの出力（すなわち、ＦＢＧから後方に反射される光）は出力処理段に結合され、それは正確な測定データを導き出すためにセンサ出力を用いる。
【０００４】
検知要素としてＦＢＧを用いることのひとつの特筆すべき利点は、それらがそれ自身を多重化することに役立つということである。センサアレイの全てのＦＢＧからの出力は、単一の光ファイバ経路を経て出力処理段に伝送されうる。次いで、出力処理段は、センサアレイにおけるそれぞれ個々のＦＢＧの出力を再構成する。次いで、それぞれの回折格子の波長変化が温度および／または歪など、測定される物理的なパラメータを計算するために使われる。出力データは異なる方法で多重化することができる。
【０００５】
波長分割多重方式（ＷＤＭ）は、波長領域において光信号を多重化するために用いることができる。ＷＤＭベースのセンサシステムにおいては、ＦＢＧセンサアレイは、それぞれ個々のＦＢＧが固有の重複がない波長範囲内の出力を提供するように構成される。したがって、多重信号に対するそれぞれのＦＢＧのそれぞれの寄与は、波長によって特定可能である。ＷＤＭベースの設計は、数多くの理由によって幅広く用いられ、それは技術が十分に確立され、複雑でなく、実施することが容易であるという事実を含む。
【０００６】
それに対して、時間領域多重方式（ＴＤＭ）技術は、時間領域で光信号を多重化するために用いることができる。ＴＤＭベースのセンサシステムにおいては、センサアレイへの入力は、一連の不連続なパルスから構成される。アレイ内の個々のＦＢＧは、入力パルスに対するそれぞれ連続するＦＢＧの応答が、入力パルスの持続時間よりも長い時間の持続時間だけ遅れるように、離れて間隔をあけられる。したがって、入力パルスがセンサアレイを経て伝播するときに、一連のパルスからなる出力信号が生成され、（一連のパルスの）それぞれは、個々のＦＢＧによる入力パルスの部分的な反射によって生成される。次いで、出力処理段は、センサアレイのどのＦＢＧがその特定のパルスの源であったかを決定するために出力パルスの到着時間を用いることができる。
【０００７】
従来型の多重化技術は、今日の求められる用途の大部分に対して不十分になっている。土木工学など、いくつかの分野において、その用途は、長い長い距離にわたって検知点の数を増やすことを求めている。例えば、土木工学用途は、１０ｋｍ径間にわたって数千の検知点を求めることがある。
【０００８】
従来型のＷＤＭベースのセンサシステムは、そのような多数の検知点を提供することは不可能である。上で説明したように、ＷＤＭベースのセンサは、センサアレイのそれぞれ個々のＦＢＧが固有の、重複しない波長範囲で動作することを必要とする。したがって、数千の検知点を求める用途は、現行のシステムの最大容量を超える波長範囲を必要とするであろう。
【０００９】
従来型のＴＤＭベースのシステムもまた問題があるが、異なる理由による。上述したように、ＴＤＭベースのシステムにおいて、個々のＦＢＧ出力は、それらに波長によってよりも、それらの到着時間によって特定される。したがって、波長範囲は問題ではない。しかし、数千のセンサ回折格子を有するセンサシステムにおいては、出力処理段は、１０８Ｈｚのオーダー、またはより速い周波数を有する受信したセンサ出力からセンサアレイ内のそれぞれのＦＢＧに対応する短パルス、および波長を確実に、かつ正確に再構成できなければならない。したがって、そのような要求に対応可能であるセンサおよび／またはセンサシステムを有することが望まれている。
【発明の概要】
【課題を解決するための手段】
【００１０】
本発明の一観点は、ＴＤＭおよびＷＤＭベースのセンサアレイシステムに向けられ、それにおいて、光源は選択された波長範囲をカバーする光を放射する。光は増幅され、次いでセンサ回折格子のアレイ内に入力される一連のパルスを生成するために用いられる。センサアレイを経るパルスの伝播は、それぞれの出力パルスがセンサアレイの個々の回折格子における入力パルスの反射からなる一連の出力パルスからなる時間領域多重化出力をもたらす。ラマン増幅が、センサアレイへのパルス入力、およびセンサアレイからの時間領域多重化出力の両方を増幅するために用いられる。次いで、ＴＤＭ出力が、センサ出力を受け、かつセンサアレイのそれぞれの回折格子の波長出力を再構成するために出力処理段に結合される。次いで、それぞれの回折格子についての波長変化が、温度および／または歪などの、測定されるべき物理的なパラメータを計算するために用いられる。
【００１１】
本発明の更なる観点により、センサアレイは、二つまたはそれ以上の群に属する回折格子を有し、それぞれの群は、センサアレイの出力が時間および波長領域の両方で多重化されるようにそれぞれのブラッグ波長により特徴付けられる。
【図面の簡単な説明】
【００１２】
【図１】図１は、従来技術によるＴＤＭベースの（光学）監視（interrogation）システムを図解する図である。
【図２】図２は、センサアレイにおけるそれぞれのＦＢＧに対する回折格子の反射の計算を図解する図である。
【図３】図３は、図２に図解する計算の結果をまとめた表である。
【図４】図４は、本発明の観点による例示的な光ファイバセンサシステムの図である。
【図５】図５は、本発明の観点による例示的な光ファイバセンサシステムの図である。
【図６】図６は、本発明の観点による例示的な光ファイバセンサシステムの図である。
【図７】図７は、本発明の観点による例示的な光ファイバセンサシステムの図である。
【発明を実施するための形態】
【００１３】
本発明は、数万または数十万の検知点を有する、正確な歪および／または温度測定のための堅牢なＴＤＭおよびＷＤＭベースのＦＢＧセンサアレイシステムに向けられている。
【００１４】
図１は、従来技術によるＴＤＭベースの（光学）監視システム１０を図解する図であって、本議論のための背景を提供するために大まかに記述されている。システム１０は、入力生成段１１、センサ段１２、および出力処理段１３の３つの段を有している。３つの段は光サーキュレータ１４によって共に接続され、第１段１１によって生成される入力光を第２段１２に結合し、第２段１２からのセンサ出力を第３段１３に結合する。
【００１５】
入力生成段１１は、光パルス生成器１１２によって一連のパルスに変換される広帯域レーザ光を放射するレーザ源１１１を有している。次いで、生成されたパルスは、サーキュレータ１４を経てセンサ段１２に結合される。
【００１６】
センサ段１２は、光ファイバ１２２内に書き込まれるセンサ回折格子１２１のアレイを有している。センサ回折格子１２１は、入力パルスがセンサアレイを経て進行するとき、個々のパルスの連続した繋がり（chain）からなる出力信号が生成されるように離れて間隔をあけられる。それぞれの出力パルスは、それぞれのセンサ回折格子による入力パルスの部分的な反射からなる。出力パルスは、サーキュレータ１４に向かって後方に進行し、サーキュレータ１４は出力信号を出力処理段１３に結合する。
【００１７】
出力処理段１３は、線形光フィルタ１３１、高速度検知器１３２、および出力信号から波長データを導き出すための関連する電子機器１３３を有している。線形光フィルタ１３１の目的は、センサアレイのそれぞれの回折格子における波長のシフトを光パワーの変化に変換することである。フィルタ１３１については、それへの入力が一定の振幅であるが、変化する波長を有するのであれば、伝送振幅と波長との間の関係は線形である。したがって、生成される出力信号のそれぞれのパルスは、較正を経てそれぞれの波長に関連付けができる固有の振幅を有している。
【００１８】
光源におけるどのような振幅の変動であっても測定の誤差を引き起こすので、システム１０は時間および波長に関して両方とも振幅変動のない広帯域光源１１１を必要とすることがわかる。さらに、例えばファイバの曲げなど、他の外部要因によるリンクの挿入損失の変動の結果として生じ得る振幅の変動もまた測定の誤差を生じるであろう。
【００１９】
多数の回折格子を備えるセンサアレイの挙動をよりよく理解するために一連の計算が実行された。
【００２０】
図２は、個々の回折格子２１のすべてが同一のブラッグ波長、同一の反射係数ｒ、および同一の伝送係数ｔを備えるセンサアレイ２０それぞれのＦＢＧについて回折格子の反射を計算する方法を図解する図である。この場合、所与のセンサ回折格子に対する反射光の量ｔｉは以下の式に等しい。
ｔ２（ｉ−１）ｒ
【００２１】
図３は、０．００２から０．０００１の範囲にわたる回折格子の反射率、０．９９８から０．９９９９の範囲にわたる伝送定数、および３００から５，０００の範囲にわたる回折格子の数ｉについての計算結果をまとめた表３０を示す。同一の波長を有する１，０００個の回折格子について、０ｄＢの入力、回折格子の反射率０．００５、かつ伝送定数０．９９９５と仮定すると、センサアレイの最後の回折格子からの信号（すなわち、入力点に到達する最後のパルス）はおおよそ−３７．３ｄＢであることがわかる。同一の波長を有する５，０００個の回折格子について、０ｄＢの入力、回折格子の反射率０．０００１、かつ伝送定数０．９９９９と仮定すると、センサアレイの最後の回折格子からの信号はおおよそ−４５ｄＢである。したがって、表３０に説明される反射率の計算結果は、注意深く増幅の仕組みを設計し、適切な検知器、および電子装置を選択し、いくつかのノイズ低減アルゴリズムを組み立てることによって１，０００個の個々のＦＢＧからなるアレイにおける反射が弱い回折格子からの信号を良好な光信号対ノイズ比（ＯＳＮＲ）で、かつ５，０００個の回折格子からなるアレイにおいてさえもおそらく検知することが可能であるということを示唆している。
【００２２】
本発明の更なる観点により、センサアレイのＦＢＧの数を増やすために、ＷＤＭはＴＤＭと連結して用いられる。二つの群の波長が重なり合わない限り、第一の群の回折格子の波長と異なる波長を備える１，０００、または５，０００の追加の回折格子の第二の群を追加することが可能である。反射率は波長依存性であるので、一つの群の回折格子が他の群の回折格子への光入力に著しい影響を及ぼすことはないであろう。
【００２３】
波長を規定された複数の回折格子の群を有するセンサアレイは、数多くの異なる方法で構成することができることが注目される。例えば、群は、重なり合わない並び順で配列することができる。その代わりに、異なる群の個々の回折格子は、交互に並ぶパターンで、または他のある種類の重なり合う構成で配列することができる。このような方法で、同一の波長を有する少なくともいくつかの隣接する回折格子の間の間隔は、隣接する検知点の間で必要とされる間隔を超えることができる。すると、この増加する間隔が、より広い入力パルスの使用を可能とし、したがってシステムの電子機器への負担を軽減する。
【００２４】
したがって、本発明による光ファイバシステムにおいて、回折格子の数は数１，０００まで拡張することができる。特定の用途が第一および第二の群とは異なる更なる波長での追加の回折格子の使用を許容するなら、検知点の数は数万または数十万にまで拡張できる可能性を秘めているであろう。
【００２５】
図４、５、および６は、堅牢かつ正確な性能を保持しながら、大量のセンサ回折格子（すなわち、数１００、数１，０００、およびそれ以上）に対応が可能である本発明による例示的なシステム４０、５０、６０の図である。これらのシステムの根底にあるアルゴリズムは、入力生成段のそれぞれのタイプの光源に基づいており、増幅された自然放出（ＡＳＥ）源（図４）、調整可能なレーザ（tunable laser）（図５）、および波長可変レーザ（swept laser）（図６）である。３つのシステムのすべては、多数の検知ＦＢＧ点を達成するためにラマン増幅方式と連結されるエルビウムドープファイバ増幅器（ＥＤＦＡ）を採用する。同じ目標を達成するために、異なる信号の場所において他の増幅方式または増幅を用いることができる。
【００２６】
図４は、本発明の一観点によるＡＳＥ光源ベースのシステム４０の図を示す。システム４０は、入力生成段４１、センサ段４２、および出力処理段４３の３つの段を有している。３つの段は、処理ユニットおよび制御関連の電子機器を含む制御モジュール４４によって動作させられる。３つの段は、光サーキュレータ４５を用いて共に接続される。入力生成段４１からの光はセンサ段４２に結合される。センサ段４２の光出力は出力処理段４３に結合される。
【００２７】
入力生成段４１は、広帯域増幅された自然放出（ＡＳＥ）光源４１１を有している。ＡＳＥ４１１により放出された光は、帯域フィルタ４１２およびインライン偏光子４１３によってフィルタされ、次いで偏光保持エルビウムドープファイバ増幅器（ＰＭ−ＥＤＦＡ）４１４または他の希土類ドープファイバ増幅器によって増幅される。次いで、サーキュレータ４５を用いてセンサ段４２に結合される一連の光パルスを生成するために、電気―光変調器（ＥＯＭ）４１５が増幅されたＡＳＥ光を変調する。
【００２８】
センサ段４２は、単一の光ファイバ経路４２２の長さ方向に沿って指定された位置の数１００（または、数１，０００）の個々のＦＢＧからなるセンサアレイ４２１を有している。センサアレイ４２１の隣接する回折格子の間の間隔は、それぞれ個々の回折格子のそれぞれの出力の間であらかじめ定められた量の遅延となるように構成される。入力生成段で生成されるパルスは、この出力の遅延よりも短い持続時間を備えるように構成され、かつパルスの周期は、最後の回折格子が光を反射する（ための）時間によって決定される。したがって、センサアレイを経る入力パルスの伝播は一連のパルスからなる出力をもたらし、それぞれのパルスは回折格子のブラッグ波長でそれぞれ個々の回折格子により、入力パルスの部分的な反射によって生成される。
【００２９】
反射が弱い広帯域回折格子４２３が、センサアレイ４２１の上流のセンサ段光経路に沿って配される。広帯域回折格子４２３から後方に反射される光は、出力データの流れの中のそれぞれのパルスの到着時間を確定するために用いられる基準となる時間基準を提供するために用いられる。センサアレイが２つまたはそれ以上の波長が規定されたセンサ回折格子の群を含むように構成されるならば、この時間基準となる回折格子はセンサ回折格子の全ての群をカバーするように設計することができる。
【００３０】
ラマンポンプ４２４および波長分割多重器（ＷＤＭ）４２５は、回折格子アレイの中に導入される光、およびセンサアレイによって後方に反射される光に対して、平坦で低雑音のラマン増幅を提供する。ここにラマン増幅を用いることは、（１）低デューティサイクル光パルス信号の改善された増幅、（２）双方向であり、したがって、前方向および後方向への信号の両方が増幅される、（３）検知ファイバそのものがラマン増幅処理の一部であり得るという利点を含む多くの利点を備える。入力光を増幅するためのＰＭ−ＥＤＦＡ４１４、およびセンサアレイの入力および出力を増幅するためのラマン増幅を結合した使い方によって、センサ回折格子の数が数１００、数１，０００、またはもっと多い場合であっても、センサアレイ４２１から良好な光信号対雑音比を得ることが可能である。さらに、特定の用途の必要性に応じて、追加のラマン増幅を提供するためにセンサファイバの経路４２２の一部または全長についてラマン活性ファイバを用いることが可能であろう。センサ出力はサーキュレータ４５に供給され、サーキュレータ４５は出力を出力処理段４３に結合する。
【００３１】
出力処理段４３は、センサアレイ４２１のそれぞれの回折格子の波長の堅牢で正確な測定を提供する検知の仕組みを有している。センサ出力は最初に波長の拡張を受け、それは出力パルスの繋がりをブレーズド回折格子４３１に、かつプリズム組立体４３２を通して送ることによって達成される。技術的に知られた他の方法が検知の前に光を拡張するために用いることが出来るであろうことが注目される。述べられたシステムの主たる利点は、堅牢で費用がかからないということである。
【００３２】
次いで、波長を拡張されたパルスは、スキャン台４３４に取り付けられ、データ取得モジュール４３５に接続される光検知器４３３に入力される。スキャン台は、スキャン台の上における拡張されたパルスの位置決めから、および適切なアナログからデジタル（Ａ／Ｄ）への変換電子機器を有するデータ取得モジュール４３５を提供することにより、出力パルスの波長データが正確に導き出されるように較正される。高周波パルスの繋がりの検知における正確さは、光検知器４３３およびそれに続くＡ／Ｄ変換の速度に依存する。
【００３３】
出力処理段４３に必要な検知器のタイプ、および電子機器に関する一般的な概念を提供するために、ここで１ｍの間隔だけ互いに分離され、同一の波長を有する１，０００個の回折格子を有するセンサアレイを備える例示的なセンサを考える。その間隔において、それぞれ連続する回折格子によって反射される光の間の時間差はおおよそ１０ｎｓである。
【００３４】
例示的なセンサでは、センサアレイを経て伝播する単一の入力パルスは、１０マイクロ秒以上にわたって広がる１，０００個のパルスからなる出力を生成するであろう。それぞれのパルスはそれぞれ個々のセンサ回折格子に対応する。
【００３５】
重なりを避けるために、入力パルスは１０ｎｓよりも小さいパルス幅（すなわち、持続時間）を備えなければならない。考慮中の例示的なセンサシステムにおいて、入力パルス幅は８ｎｓであると仮定され、それは１２５ＭＨｚの検知周波数に対応する。したがって、この場合、光検知器４３３は１２５ＭＨｚ、またはより大きい容量を備えねばならない。パルス信号をデジタル化するために用いられるアナログ−デジタル（Ａ−Ｄ）変換器は、検知される信号の最大周波数の少なくとも２倍、すなわち２５０ＭＨｚ、またはそれより大きい最大周波数の容量を備えなければならない。
【００３６】
上に説明される、システム４０と従来技術のシステム１０（図１）との間の一つの注目すべき違いは、システム４０の入力生成段４１は、時間および波長範囲の両方について振幅安定性の要求が著しく緩和されているということである。システム１０は強度ベースである。したがって、振幅安定性は正確な測定データを得るために決定的に重要な構成要素である。それに対して、システム４０においては、測定は波長ベースである。したがって、図１のシステムに要求されるように振幅の変動を小さく保持することはそれほど重要ではない。
【００３７】
図５は、本発明の更なる実施によるシステム５０の図を示し、そこにおいて光源は波長が正確に設定された調整可能なレーザ５１１である。システム５０は、入力生成段５１、出力段５２、および出力処理段５３の３つの段を有している。３つの段は、処理ユニットおよび制御関連の電子機器を含む制御モジュール５４によって動作させられる。３つの段は、サーキュレータ５５を用いて互いに接続される。入力生成段５１からの光はセンサ段５２に結合される。センサ段５２の光出力は出力処理段５３に結合される。
【００３８】
入力生成段５１は、調整可能なレーザ５１１、ＰＭ−ＥＤＦＡ５１２、およびＥＯＭ５１３を有している。センサ段５２は、センサ段４２（図４）と同様の構成からなり、センサアレイ５２１、ラマンファイバ５２２、時間基準回折格子５２３、ラマンポンプ５２４、およびＷＤＭ５２６を含む。出力処理段５３は、データ取得モジュール５３２にデータを入力する高速度検知器５３１を有している。
【００３９】
システム５０の構成要素は、システム４０のそれに対応し、異なる広帯域光源の使用から生じる修正を伴う。一つの相違点は、システム５０において、センサ出力からの波長データは調整可能なレーザ５１１の出力の瞬間的な波長と関連付けながら導き出すことができ、それはレーザの設定から直接的に取ることができる。したがって、センサ段５２からの出力は、図４に示されるように波長の拡張を経るのとは対照的に、出力処理段５３の検知器５３１への直接入力として提供することができる。調整可能なレーザは、図４に示されるシステム４０に比較してシステム５０により高額のコストを課すが、システム５０は必要な構成要素がより少ない。
【００４０】
図６は、本発明の更なる実施によるシステム６０の図を示し、そこにおいて広帯域光源は正確な波長出力および制御のない波長可変レーザ６１１を用いて実行される。システム６０は、入力生成段６１、センサ段６２、および出力処理段６３の３つの段を有している。３つの段は、処理ユニットおよび制御関連の電子機器を含む制御モジュール６４によって動作させられる。３つの段は、サーキュレータ６５の方法によって互いに接続される。入力生成段６１からの光はセンサ段６２に結合される。センサ段６２の光出力は出力処理段６３に結合される。
【００４１】
入力生成段６１は、波長可変レーザ６１１、ＰＭ−ＥＤＦＡ６１２、およびＥＯＭ６１３を有している。波長可変レーザ６１１は、要求される波長の正確さおよび一貫性がない場合があるため、入力生成段６１は、波長の計算において制御モジュール６４による使用のために波長可変レーザ出力の瞬間的な波長を測定するために用いられる波長測定モジュール６１４をさらに含む。
【００４２】
システム６０の残りの構成要素は、図５に示されるシステム５０の対応する構成要素と同じである。センサ段６２は、ラマンファイバ６２２内に書き込まれる多数の回折格子を有するセンサアレイ６２１を有している。時間基準回折格子６２３は、センサアレイ６２１の上流に提供される。センサ回折格子の出力は、ラマンポンプＷＤＭ６２５（ラマンポンプ６２４によってポンプされる）によって増幅され、次いで出力を出力処理段６３に結合するサーキュレータに入力される。出力処理段６３は、高速度検知器６３１を有し、高速度検知器６３１はデータをデータ取得モジュール６３２に入力する。
【００４３】
図７は、図６に示されるシステム６０の変形を具体化するシステム７０の図を示す。入力生成段７１、センサ段７２、出力処理段７３、制御モジュール７４、およびサーキュレータ７５は、波長測定モジュール６１４を除いて、システム６０の対応するものと同じである。システム７０において、波長可変レーザの直後で波長測定を行う代わりに、時間基準回折格子７２３の後に波長基準デバイス７２０を挿入することにより、波長基準／較正機能がセンサ段７２において実行される。本発明の実施により、波長基準デバイス７２０は、センサ回折格子の波長範囲をカバーして異なる波長を有する複数の温度安定化回折格子を有している。
【００４４】
センサ回折格子に関して、多数の適切な回折格子は、ライトスルー・コーティングファイバ回折格子製造方法によって作製することができる。この方法において、回折格子ファイバの機械的な強度は、元の状態のファイバの機械的強度に近づけることができる。したがって、そのようなやり方は、高い機械的強度を有する回折格子を必要とする用途に非常に適している。さらに、ライトスルー・コーティングファイバ回折格子製造技術を採用することは、回折格子製造工程を自動化し、その結果、著しくコストを低減することを可能にする。さらに、センサシステムは、すべての回折格子についてのそれらの元の波長に対する波長のシフトを測定するという事実によって、自動化がさらに高められるであろう。したがって、すべての回折格子について最初の波長の許容差は非常に緩くすることができる。
【００４５】
これらの回折格子は反射率が弱いので、線引き塔の単一のＵＶパルス回折格子製法は、このタイプのシステムのためのＦＢＧを製造するためにも非常に適している。歪および温度の両方の測定が必要とされるのであれば、ツインコアのライトスルー・コーティング回折格子アレイがこの目的のために製造され、配列することができる。ツインコアファイバの２つの回折格子は、歪係数はほぼ同一であるが、まったく異なる温度係数を備える。この方法により、正確に歪および温度測定の結果を得るために２つの測定式を解くことができる。
【００４６】
先の記述は、当業者が本発明を実施することを可能にするであろう詳細を含むが、実際は、前記記述は例示的なものであり、多くのそれらの修正および変形は、これらが教えるところの利益を有する当業者には明らかであろうということが認識されるべきである。したがって、本明細書における本発明は、ここに添付される特許請求の範囲によってのみ規定され、かつ特許請求の範囲は従来技術によって許容される限り広く解釈されることが意図されている。
【図１】
0005972403.tif 000002
【図２】
0005972403.tif 000003
【図３】
0005972403.tif 000004
【図４】
0005972403.tif 000005
【図５】
0005972403.tif 000006
【図６】
0005972403.tif 000007
【図７】
0005972403.tif 000008